【手続補正書】
【提出日】平成20年6月20日(2008.6.20)
【手続補正１】
【補正対象書類名】明細書
【補正対象項目名】特許請求の範囲
【補正方法】変更
【補正の内容】
【特許請求の範囲】
【請求項１】  多チャンネルオーディオシステムにおいて使用する信号処理システムにおいて、
（ａ）第一のオーディオ信号を有する第一のチャンネルと、
（ｂ）第二のオーディオ信号を有する少なくとも第二のチャンネルと、
（ｃ）上記第一のチャンネルにおける信号レベル閾値に応答し、この閾値以上のときに上記第一のチャンネルのオーディオ信号の一部を上記少なくとも第二のチャンネルのうち少なくとも１つに混合する処理装置と、
を備える信号処理システム。
【請求項２】  第三のオーディオ信号を有する少なくとも第三のチャンネルを更に備え、
上記信号処理装置は少なくとも第一のチャンネルにおける信号レベル閾値に応答しこの閾値以上のときに上記第一のチャンネルのオーディオ信号の一部を少なくとも上記第二と第三のオーディオチャンネルに混合することを特徴とする、請求項１に記載の信号処理システム。
【請求項３】  上記第一、第二及び第三のオーディオチャンネルは各々対応する第一、第二及び第三のスピーカーを有し、これらのスピーカーは聴音位置からの各々第一、第二及び第三方向ベクトルに対応する聴音環境に配置され、上記第一のスピーカーは上記第一の方向ベクトルに沿って上記第二と第三のスピーカーの間に配置されることを特徴とする、請求項２に記載の信号処理システム。
【請求項４】  ３以上のオーディオチャンネルを表す３以上の対応するスピーカーを聴音環境に配置して上記第一のオーディオチャンネル及び対応するスピーカーが聴音位置からのユニークな方向ベクトルを表して聴者に実音像を表すようにし、
上記信号処理装置は少なくとも上記第一のチャンネルにおける信号レベル閾値に応答し、この閾値以上のときに少なくとも第一のチャンネルオーディオ信号の一部を少なくとも２つの補助的なオーディオチャンネルに混合することを特徴とする、請求項２に記載の信号処理システム。
【請求項５】  上記少なくとも２つの補助的なオーディオチャンネルは、上記実音像に対応する仮想音像により第一方向ベクトルに沿う上記実音像を強化することを特徴とする、請求項４に記載の信号処理システム。
【請求項６】  上記信号閾値に対応する上記第一チャンネルに適用してこの第一チャンネルにおける信号レベルを所定量に制限する信号制限機能を更に備える請求項１に記載の信号処理システム。
【請求項７】  多チャンネルオーディオシステムにおいて使用される信号処理システムにおいて、
Ｎ（ここにＮ＞１）個のチャンネルと、
各チャンネルに対応するオーディオ信号と、
上記信号レベル閾値に応答し、任意のチャンネルがこの信号閾値に達したときにこの信号閾値に達したチャンネルにおけるオーディオ信号の少なくとも一部を上記多チャンネルシステムにおける少なくとも１つの他チャンネルに経路変更する信号処理装置と、
を備える信号処理システム。
【請求項８】  上記Ｎ個のチャンネルのうち上記信号閾値に達した任意数のチャンネルについてそのオーディオ信号の少なくとも一部を多チャンネルオーディオシステムにおけるＮ個のチャンネルのうち任意数の他チャンネルに経路変更することを特徴とする、請求項７に記載の信号処理システム。
【請求項９】  上記信号閾値に達したチャンネルに適用してこれらのチャンネルにおける信号レベルを所定の量に制限する信号制限機能を更に備える、請求項７に記載の信号処理システム。
【請求項１０】  上記信号閾値は信号閾値に達したチャンネルに関連する増幅器のクリッピングレベルに関係することを特徴とする、請求項１または７に記載の信号処理システム。
【請求項１１】  上記信号閾値は信号閾値に達したチャンネルに関連するスピーカーの偏位限界に関係することを特徴とする、請求項１または７に記載の信号処理システム。
【請求項１２】  上記信号閾値は周波数に依存することを特徴とする、請求項１または７に記載の信号処理システム。
【請求項１３】  上記信号閾値は信号閾値に達したチャンネルに関連するスピーカーの温度条件に関係することを特徴とする、請求項１または７に記載の信号処理システム。
【請求項１４】  上記信号閾値は信号閾値に達したチャンネルに関連する過負荷に対応することを特徴とする、請求項１または７に記載の信号処理システム。
【請求項１５】  上記信号閾値は信号閾値に達したチャンネルに関連する所定の歪みレベルに関係することを特徴とする、請求項１または７に記載の信号処理システム。
【請求項１６】  上記信号閾値に達した少なくとも１つのチャンネルは少なくとも１つの他のチャンネルに対し位相進み特性を有することを特徴とする、請求項１または７に記載の信号処理システム。
【請求項１７】  上記信号閾値に達した少なくとも１つのチャンネル以外の少なくとも１つの他チャンネルは上記信号閾値に達した上記少なくとも１つのチャンネルに対し時間遅れを有することを特徴とする、請求項１または７に記載の信号処理システム。
【請求項１８】  信号処理システムで再生する記録媒体を更に有し、この記録媒体は、記録媒体に含まれるプログラム素材に対して適用する信号レベル閾値を定義するプリセットコードを含むことを特徴とする、請求項１または７に記載の信号処理システム。
【請求項１９】  信号処理システムで再生する記録媒体を更に有し、この記録媒体は、記録媒体に含まれるプログラム素材に対して適用する信号レベル閾値を定義するプリセットコードを含み、このプリセットコードは再生に使用するオーディオシステムの特定タイプに基づき予想閾値として任意のプリセットレベルを含むことを特徴とする、請求項１又は７に記載の信号処理システム。
【請求項２０】  信号処理システムで再生する記録媒体を更に有し、この記録媒体は、記録媒体に含まれるプログラム素材に対して適用する信号レベル閾値を定義するプリセットコードを含み、このプリセットコードは使用するオーディオシステムの自動評価を可能にする診断プログラムを上記記録媒体に事前に記録したプログラミングの一部として更に含み、この診断テストシーケンスを実行することにより適正な閾値を求めることを特徴とする、請求項１又は７に記載の信号処理システム。
【請求項２１】  上記信号処理装置は、上記信号閾値に順次達した多チャンネルからのオーディオ信号の少なくとも一部を多チャンネルオーディオシステムにおける他チャンネルに順次経路変更することを特徴とする、請求項７に記載の信号処理システム。
【請求項２２】  各チャンネルがオーディオ信号を有する多チャンネルを含む多チャンネルオーディオシステムの音響出力を見かけ上増大させる信号処理方法において
（ａ）上記多チャンネルサウンドシステムにおける少なくとも１つのチャンネルに関連する少なくとも１つの信号を選択するステップと、
（ｂ）信号レベルに対して所定のパラメータ閾値を選択するステップと
（ｃ）信号が上記所定のパラメータ閾値に達したとき上記多チャンネルサウンドシステムにおける少なくとも１つのチャンネルに関連するオーディオ信号の一部を上記多チャンネルサウンドシステムにおける少なくとも１つの他チャンネルに配信するステップと、
を有する信号処理方法。
【請求項２３】  信号が所定のパラメータ閾値に達した少なくとも１つのチャンネルに関連するオーディオ信号に制限機能を与えるステップを更に有する、請求項２２に記載の信号処理方法。
【請求項２４】  ａ）第一のオーディオチャンネル及び対応するスピーカーが聴音位置からのユニークな方向ベクトルを表して聴者に対し実音像を表すようにして、多チャンネルサウンドシステムにおいて聴音環境に配置される少なくとも３つのスピーカーにより表される少なくとも３つのチャンネルの少なくとも３つの信号を選択するステップと
ｂ）上記所定の閾値を超えた上記第一のオーディオチャンネルからの信号の一部を少なくとも２つの残りの信号チャンネルと混合するステップを更に有する、請求項２２に記載の信号処理方法。
【請求項２５】  記録媒体に含まれる記録素材の再生に先立ち、所与の多チャンネルサウンドシステムに対する上記所定の閾値を事前に割り当て可能な埋設コードを含む記録媒体を準備するステップを更に有する、請求項２２に記載の信号処理方法。
【請求項２６】  診断手続きを所与の多チャンネルサウンドシステムに適用して、記録媒体に含まれる記録素材の再生に先立ち、所与の多チャンネルサウンドシステムに対する上記所定の閾値を事前に割り当て可能な埋設コードを含む記録媒体を準備するステップを更に有する、請求項２２に記載の信号処理方法。